(57)【要約】  【課題】縦枠と上枠およびまたは下枠との結合位置のずれを小さくすることができる構造のサッシ枠を提供する。  【解決手段】押出型材でなる左右の縦枠３Ａの相互の対向面にフィン６〜９を有する。フィン８の上部および下部の少なくともいずれか一方に短片状の切残し部２１を設ける。上枠およびまたは下枠４に切残し部２１に対応して嵌合部２２を設ける。縦枠３Ａの切残し部２１に上枠およびまたは下枠４の嵌合部２２の端部を嵌めて位置決めする。上枠および下枠４の端面を左右の縦枠３Ａの対向面に当て、タッピングねじ１１により縦枠３Ａと上枠、下枠４とを結合する。【選択図】図４
2006063592.tif 000002
【特許請求の範囲】
【請求項１】
押出型材でなる左右の縦枠と上枠と下枠とを備え、
前記左右の縦枠の相互の対向面にフィンを有し、
前記フィンの上部および下部の少なくともいずれか一方に切残し部を設け、
前記上枠および前記下枠の少なくとも一方に前記切残し部に対応して嵌合部を設け、
前記縦枠の切残し部に前記上枠およびまたは前記下枠の前記嵌合部の端部を嵌めて位置決めすると共に、前記上枠および前記下枠の端面を前記左右の縦枠の対向面に当て、
前記縦枠に設けたねじ挿通孔にタッピングねじを挿通して前記上枠および前記下枠に設けたタッピングホールに螺合することにより、前記縦枠と前記上枠および前記下枠とを結合したことを特徴とするサッシ枠。
【請求項２】
請求項１に記載のサッシ枠において、
前記左右の縦枠の上部対向面および下部対向面の少なくとも一方に、互いに非対応位置をなす切残し部を設け、
前記上枠および前記下枠のうちの少なくとも一方に設けた嵌合部の端部を前記切残し部にそれぞれ嵌合したことを特徴とするサッシ枠。
【発明の詳細な説明】
【技術分野】
【０００１】
本発明は、アルミニウム合金製または合成樹脂製押出型材により作製されるサッシ枠に係り、特に左右の縦枠と上下枠との結合位置を正確に設定する構造に関する。
【背景技術】
【０００２】
各種の障子を装着するサッシ枠は、図８に引き違い窓における下枠４と一方の縦枠３Ａとの結合構造で代表して示すように、押出型材でなる縦枠３Ａに設けたフィン６〜９の、下枠４の端面当接領域に相当する部分を切除し、下枠４の端面をそのフィン６〜９の切除した部分に当接させ、縦枠３Ａに設けたねじ挿通孔１０にタッピングねじ１１を挿通し、これらのタッピングねじ１１を押出型材でなる下枠４に設けたタッピングホール１２に螺合することにより、縦枠３Ａと下枠４とを結合する構造を有している。不図示の上枠と縦枠３Ａとの結合も、フィン６〜９の上部を切除した同様の構造で行われる。このような結合構造は例えば特許文献１に示されている。
【０００３】
【特許文献１】特開平２−２９１９１号公報
【発明の開示】
【発明が解決しようとする課題】
【０００４】
前記したねじ挿通孔１０の直径は、製作誤差を考慮してタッピングねじ１１の直径よりやや大きく設定される。例えばタッピングねじ１１の直径を４．０ｍｍとした場合、ねじ挿通孔１０の内径を４．５ｍｍとする。このように、ねじ挿通孔１０の直径とタッピングねじ１１の直径の差があるので、下枠４や上枠と縦枠３Ａとの突合せ位置のずれを生じ、この位置ずれにより、縦枠３Ａに形成したフィン８に設けた気密材装着溝１３の位置と、下枠４に形成したフィン１４に設けた気密材装着溝１５との間等で位置がずれ生じることがある。そしてこの位置ずれが生じると、不図示の障子と気密材との間の密着性が低下し、気水密性、遮音性、断熱性を低下させるので、位置ずれを防止するための調整作業を必要とし、その調整手間と労力を必要とするという問題点があった。
【０００５】
本発明は、上記問題点に鑑み、前記位置調整作業を行うことなく、縦枠と上枠およびまたは下枠との結合位置のずれを無くすことができる構造のサッシ枠を提供することを目的とする。
【課題を解決するための手段】
【０００６】
請求項１のサッシ枠は、押出型材でなる左右の縦枠と上枠と下枠とを備え、
前記左右の縦枠の相互の対向面にフィンを有し、
前記フィンの上部および下部の少なくともいずれか一方に切残し部を設け、
前記上枠および前記下枠の少なくとも一方に前記切残し部に対応して嵌合部を設け、
前記縦枠の切残し部に前記上枠およびまたは前記下枠の前記嵌合部の端部を嵌めて位置決めすると共に、前記上枠および前記下枠の端面を前記左右の縦枠の対向面に当て、
前記縦枠に設けたねじ挿通孔にタッピングねじを挿通して前記上枠および前記下枠に設けたタッピングホールに螺合することにより、前記縦枠と前記上枠および前記下枠とを結合したことを特徴とする。
【０００７】
請求項２のサッシ枠は、請求項１において、
前記左右の縦枠の上部対向面および下部対向面の少なくとも一方に、互いに非対応位置をなす切残し部を設け、
前記上枠および前記下枠のうちの少なくとも一方に設けた嵌合部の端部を前記切残し部にそれぞれ嵌合したことを特徴とする。
【発明の効果】
【０００８】
請求項１の発明は、縦枠のフィンに切残し部を設け、上枠およびまたは下枠に設けた嵌合部を前記フィンに嵌合して縦枠と上枠およびまたは下枠との相対的な位置決めを行なうようにしたものであり、前記切残し部や嵌合部の位置精度は現在の加工技術では高く保つことができるので、前記位置決めが精度よく行われる。このため、従来必要していた縦枠と上枠およびまたは下枠との結合時の位置調整作業を要することなく、枠どうしの結合作業が容易に行える。また、縦枠と上枠およびまたは下枠との相対的な位置決めが精度よく行えるので、気水密性、遮音性、断熱性の高いサッシ枠を提供することができる。
【０００９】
また、フィンの切残し部と嵌合部との嵌合で相対的位置決めがなされるので、振動などが加わっても枠どうしの間のずれを生じることなく、気水密性、遮音性、断熱性を長期にわたって維持することができる。
【００１０】
請求項２の発明は、縦枠に設ける切残し部を、左右の縦枠間で対応しない位置に設けたので、この位置決め構造により、切残し部を支点とする縦枠の室内外方向の回動を抑制することができる。
【発明を実施するための最良の形態】
【００１１】
図１は本発明によるサッシ枠の一実施の形態を、引き違い窓に例をとって示す建具の正面図（室内側から見た図）である。また、図２はこの引き違い窓の横断面図、図３はその縦断面図である。図１ないし図３において、１はサッシ枠、２Ａ、２Ｂは引き違い障子である。サッシ枠１は、室外側から見て右側の縦枠３Ａと、左側の縦枠３Ｂと、下枠４と、上枠５とを備え、これらはアルミニウム合金製押出型材または合成樹脂製押出型材からなる。
【００１２】
図４は前記下枠４と右側の縦枠３Ａとの結合構造を示すもので、（Ａ）は分解斜視図、（Ｂ）は組み立て後の状態を示す斜視図、（Ｃ）は縦枠３Ａの端面図、（Ｄ）は組み立て状態を示す側面図である。縦枠３Ａのフィン６は縦枠３Ａの室外側の面を構成し、フィン７は前記障子２Ａの縦枠３Ａ側の縦框６０が縦枠３Ａに近接する閉じ位置に達するときに、その縦框６０に設けた当接具６１（図２参照）に当接して障子２Ａを室内側に寄せ、気水密性を高めるものである。フィン８は前述のように気密材装着溝１３を有するものである。９は縦枠３Ａの室内側の面を構成するものである。
【００１３】
下枠４には、その室外側の面を構成し、かつ網戸レールとして用いるフィン１６と、室外側障子２Ａを走行させるレール１７と、室内側障子２Ｂを走行させるレール１９と、前記気密材装着溝１３に対応する位置に気密材装着溝１５を形成したフィン１４と、下枠４の室内側の面を構成するフィン２０とを有する。
【００１４】
しかして、本実施の形態においては、前記縦枠３Ａのフィン６、７、９は、前記下枠４の端面を突き当てる領域が切除されているが、しかし、フィン８については、前記縦枠３Ａの、下枠４の端面を当てる領域内に短片状の切残し部２１を設ける。一方、下枠４には、前記切残し部２１に嵌合する嵌合部２２を形成する。
【００１５】
そして、前記縦枠３Ａの切残し部２１に前記下枠４の前記嵌合部２２の端部を嵌めて位置決めすると共に、前記下枠４の端面を、前記縦枠３Ａの他方の縦枠３Ｂとの対向面に当て、前記縦枠３Ａに設けたねじ挿通孔１０にタッピングねじ１１を挿通して前記下枠４に設けたタッピングホール１２に螺合することにより、前記縦枠３Ａと前記下枠４とを結合する。
【００１６】
図５は左側の縦枠３Ｂと下枠４との結合構造の一実施の形態を示すもので、（Ａ）は分解斜視図、（Ｂ）は組み立て後の状態を示す斜視図、（Ｃ）は縦枠３Ｂの端面図、（Ｄ）は組み立て状態を示す側面図である。
【００１７】
縦枠３Ｂのフィン２４は縦枠３Ｂの室外側の面を構成する。フィン２５は前記障子２Ｂの縦枠３Ｂ側縦框６２が縦枠３Ｂに近接する閉じ位置に達するときに、縦框６２に設けた当接具６３が当接して（図２参照）障子２Ｂを室内側に寄せて不図示の気密材を圧縮し、気水密性を高めるものである。フィン２６は縦枠３Ｂの室内側の面を構成するものであり、その室外側の面に気密材装着溝２７を有する。下枠４の室内側の面を形成するフィン２０の室外側の面には、室内側障子２Ｂの下框に装着する気密材５１を当てる受け面２０ａを形成する。
【００１８】
この左側の縦枠３Ｂにおいても、前記縦枠３Ｂのフィン２４、２６は、前記下枠４の端面を突当てる領域が切除されているが、しかし、フィン２５については、前記縦枠３Ｂの、下枠４の端面を当てる領域内に短片状の切残し部２８を設ける。一方、下枠４には、前記切残し部２８に嵌合する嵌合部２９を形成する。
【００１９】
そして、前記縦枠の切残し部２８に前記下枠４の前記嵌合部２９の端部を嵌めて位置決めすると共に、前記下枠４の端面を、前記縦枠３Ｂの他方の縦枠３Ａとの対向面に当て、前記縦枠３Ｂに設けたねじ挿通孔１０にタッピングねじ１１を挿通して前記下枠４に設けたタッピングホール１２に螺合することにより、前記縦枠３Ｂと前記下枠４とを結合する。
【００２０】
図６は右側の縦枠３Ａと上枠５との結合構造の一実施の形態を示すもので、（Ａ）は分解斜視図、（Ｂ）は組み立て後の状態を示す斜視図、（Ｃ）は組み立て状態を示す側面図、（Ｄ）は縦枠３Ａの端面図である。
【００２１】
図６において、３０は上枠５の室外側の面を形成するフィンで、このフィン３０とフィン３１とで網戸の装着溝３２を構成する。３３、３４はそれぞれ障子２Ａ、２Ｂの上端のスライド具３５（図３参照）をスライドさせる案内用フィンである。３６は上枠５の室内側の面を構成するフィンである。
【００２２】
この上枠５と縦枠３Ａの結合部においても、前記縦枠３Ａのフィン６、７、９は、前記上枠５の端面を突き当てる領域が切除されているが、しかし、フィン８については、前記縦枠３Ａの、上枠５の端面を当てる領域内に短片状の切残し部３７を設ける。一方、上枠５には、前記切残し部３７に嵌合する嵌合部３９を形成する。
【００２３】
そして、前記縦枠３Ａの切残し部３７に前記上枠５の前記嵌合部３９の端部を嵌めて位置決めすると共に、前記上枠５の端面を、前記縦枠３Ａの他方の縦枠３Ｂとの対向面に当て、前記縦枠３Ａに設けたねじ挿通孔１０にタッピングねじ１１を挿通して前記上枠５に設けたタッピングホール１２に螺合することにより、前記縦枠３Ａと前記上枠５とを結合する。
【００２４】
図７は左側の縦枠３Ｂと上枠５との結合構造の一実施の形態を示すもので、（Ａ）は分解斜視図、（Ｂ）は組み立て後の状態を示す斜視図、（Ｄ）は組み立て状態を示す側面図、（Ｄ）は縦枠３Ｂの端面図である。
【００２５】
この左側の縦枠３Ｂにおいても、前記縦枠３Ｂのフィン２４、２６は、前記下枠４の端面を突き当てる領域が切除されているが、しかし、フィン２５については、前記縦枠３Ｂの、上枠５の端面を当てる領域内に短片状の切残し部４０を設ける。一方、上枠５には、前記切残し部４０に嵌合する嵌合部４１を形成する。
【００２６】
そして、前記縦枠の切残し部４０に前記上枠５の前記嵌合部４１の端部を嵌めて位置決めすると共に、前記上枠５の端面を、前記縦枠３Ｂの他方の縦枠３Ａとの対向面に当て、前記縦枠３Ｂに設けたねじ挿通孔１０にタッピングねじ１１を挿通して前記上枠５に設けたタッピングホール１２に螺合することにより、前記縦枠３Ｂと前記上枠５とを結合する。
【００２７】
以上に記載したように、縦枠３Ａ、３Ｂのフィン８、２５に切残し部２１、２８、３７、４０を設け、下枠４および上枠５に設けた嵌合部２２、２９、３９、４１を前記切残し部２１、２８、３７、４０に嵌合して縦枠３Ａ、３Ｂと下枠４および上枠５との相対的な位置決めを行なうようにしたものであり、前記切残し部２１、２８、３７、４０や嵌合部２２、２９、３９、４１の位置精度は現在の加工技術では高く保つことができるので、前記位置決めが精度よく行われる。このため、従来必要していた縦枠３Ａ、３Ｂと下枠４および上枠５との結合時の位置調整作業を要することなく、容易に枠どうしの結合作業が行える。また、縦枠３Ａ、３Ｂと下枠４および上枠５との相対的な位置決めが精度よく行えるので、気水密性、遮音性、断熱性の高いサッシ枠を提供することができる。また、フィンの切残し部２１、２８、３７、４０や嵌合部２２、２９、３９、４１との嵌合で相対的位置決めがなされるので、振動などが加わっても枠どうしの間のずれを生じることなく、長期にわたってガタを生じることなく、気水密性、遮音性、断熱性を維持することができる。また、前記切残し部２１、２８、３７、４０は単に切断箇所の位置の変更ですみ、嵌合部２２、２９、３９、４１の形成も設計変更ですみ、材料費の増加もほとんどないため、廉価にかつ容易に実施できる。
【００２８】
また本実施の形態においては、縦枠に設ける切残し部２１と２７、３７と４０を、左右の縦枠３Ａ、３Ｂ間で対応しない位置に設けたので、この位置決め構造により、縦枠の室内該方向の切残し部２１、２８および３７と４０を支点とする回動方向のガタを抑制することができる。
【００２９】
本発明を実施する場合、下枠４と縦枠３Ａ、３Ｂとの結合構造のみ、あるいは上枠５と縦枠３Ａ、３Ｂとの結合構造のみに前記切残し部と嵌合部の嵌合構造を採用してもよく、その場合にはそれぞれその結合部において、前記効果をあげることができる。本発明は、引き違い窓以外に嵌め殺し窓、開き窓、上げ下げ窓、回転窓、辷り出し窓等種々の窓や戸に適用できる。
【図面の簡単な説明】
【００３０】
【図１】本発明の結合構造の一実施の形態のサッシ枠を有する建具の正面図である。
【図２】図１の建具の横断面図である。
【図３】図１の建具の縦断面図である。
【図４】本実施の形態の下枠と右側の縦枠との結合構造を示すもので、（Ａ）は分解斜視図、（Ｂ）は組み立て後の状態を示す斜視図、（Ｃ）は縦枠の端面図、（Ｄ）は組み立て状態を示す側面図である。
【図５】本実施の形態の左側の縦枠と下枠との結合構造を示すもので、（Ａ）は分解斜視図、（Ｂ）は組み立て後の状態を示す斜視図、（Ｃ）は縦枠の端面図、（Ｄ）は組み立て状態を示す側面図である。
【図６】本実施の形態の右側の縦枠と上枠との結合構造を示すもので、（Ａ）は分解斜視図、（Ｂ）は組み立て後の状態を示す斜視図、（Ｃ）は組み立て状態を示す側面図、（Ｄ）は縦枠の端面図である。
【図７】本実施の形態の左側の縦枠と上枠との結合構造を示すもので、（Ａ）は分解斜視図、（Ｂ）は組み立て後の状態を示す斜視図、（Ｄ）は組み立て状態を示す側面図、（Ｄ）は縦枠の端面図である。
【図８】（Ａ）、（Ｂ）は従来の建具の縦枠と下枠との結合構造を示す分解斜視図および組み立て状態を示す斜視図である。
【符号の説明】
【００３１】
１：サッシ枠、２Ａ、２Ｂ：障子、３Ａ、３Ｂ：縦枠、４：下枠、５：上枠、６〜９：フィン、１０：ねじ挿通孔、１１：タッピングねじ、１２：タッピングホール、１３、１５：気密材装着溝、１４：フィン、１６、２０：フィン、１７、１９：レール、２１：切残し部、２２：嵌合部、２４〜２６：フィン、２７:気密材装着溝、２８：切残し部、２９：嵌合部、３０、３１、３３、３４、３６：フィン、３５：スライド部、３５：スライド具、３７：切残し部、３９：嵌合部、４０：切残し部、４１：嵌合部
【図１】
2006063592.tif 000003
【図２】
2006063592.tif 000004
【図３】
2006063592.tif 000005
【図４】
2006063592.tif 000006
【図５】
2006063592.tif 000007
【図６】
2006063592.tif 000008
【図７】
2006063592.tif 000009
【図８】
2006063592.tif 000010